【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
近距離通信（ＮＦＣ）セッションの間にターゲットデバイスとしてＮＦＣデバイスを動作させる方法であって、
前記ＮＦＣセッションのためのパッシブ通信モードを要求するポーリングコマンドをイニシエータデバイスから受信することと、
前記ＮＦＣセッションの間に前記イニシエータデバイスから第１の搬送波信号を受信することと、前記第１の搬送波信号は、前記ポーリングコマンドが受信された後、変調されていないままであり、
前記第１の搬送波信号が、前記ターゲットデバイスによって受信されており、変調されていないままである間に、前記ターゲットデバイスから前記イニシエータデバイスに第２の搬送波信号を送信することと、
データを前記第２の搬送波信号上に変調することと
を備え、
前記第１の搬送波信号および前記第２の搬送波信号は、組み合わさって、前記変調されたデータを示す複合波形を形成し、ここにおいて、前記複合波形は、前記第１の搬送波信号および前記第２の搬送波信号の重なり合いである、方法。
【請求項２】
前記ターゲットデバイスが、前記第１の搬送波信号を連続して受信し、前記ＮＦＣセッションの間に前記第２の搬送波信号を連続して送信する、請求項１に記載の方法。
【請求項３】
前記複合波形の振幅が、前記第１の搬送波信号と前記第２の搬送波信号との間の位相関係を示す、請求項１に記載の方法。
【請求項４】
前記ターゲットデバイスが、前記第１の搬送波信号と前記第２の搬送波信号との間の前記位相関係を調整することによって、前記データを変調するためのものである、請求項３に記載の方法。
【請求項５】
前記送信することが、
前記受信された第１の搬送波信号からクロック情報を抽出することと、
前記抽出されたクロック情報を使用して、前記第２の搬送波信号を生成することと
を備える、請求項１に記載の方法。
【請求項６】
前記変調することが、
前記データを前記第２の搬送波信号上に符号化するために、前記第２の搬送波信号の位相を調整すること
を備える、請求項１に記載の方法。
【請求項７】
前記変調することが、
前記データを前記第２の搬送波信号上に符号化するために、前記第２の搬送波信号の振幅を調整すること
を備える、請求項１に記載の方法。
【請求項８】
前記変調することが、
前記第１の搬送波信号を依然として受信しながら、前記第２の搬送波信号を断続的に終了すること
を備える、請求項１に記載の方法。
【請求項９】
近距離通信（ＮＦＣ）セッションの間にターゲットデバイスのプロセッサによって実行されると、前記ターゲットデバイスに、
前記ＮＦＣセッションのためのパッシブ通信モードを要求するポーリングコマンドをイニシエータデバイスから受信させ、
前記ＮＦＣセッションの間に前記イニシエータデバイスから第１の搬送波信号を受信させ、前記第１の搬送波信号は、前記ポーリングコマンドが受信された後、変調されていないままであり、
前記第１の搬送波信号が、前記ターゲットデバイスによって受信されており、変調されていないままである間に、前記ターゲットデバイスから前記イニシエータデバイスに第２の搬送波信号を送信させ、
データを前記第２の搬送波信号上に変調させる
プログラム命令を含み、
前記第１の搬送波信号および前記第２の搬送波信号は、組み合わさって、前記変調されたデータを示す複合波形を形成し、ここにおいて、前記複合波形は、前記第１の搬送波信号および前記第２の搬送波信号の重なり合いである、非一時的コンピュータ可読媒体。
【請求項１０】
前記プログラム命令の実行がさらに、前記ターゲットデバイスに、
前記ＮＦＣセッションの間に前記第１の搬送波信号を連続して受信させ、
前記ＮＦＣセッションの間に前記第２の搬送波信号を連続して送信させる
請求項９に記載の非一時的コンピュータ可読媒体。
【請求項１１】
前記複合波形の振幅が、前記第１の搬送波信号と前記第２の搬送波信号との間の位相関係を示す、請求項９に記載の非一時的コンピュータ可読媒体。
【請求項１２】
前記ターゲットデバイスが、前記第１の搬送波信号と前記第２の搬送波信号との間の前記位相関係を調整することによって、前記データを変調するためのものである、請求項１１に記載の非一時的コンピュータ可読媒体。
【請求項１３】
前記第２の搬送波信号を送信するための前記プログラム命令の実行が、前記ターゲットデバイスに、
前記受信された第１の搬送波信号からクロック情報を抽出させ、
前記抽出されたクロック情報を使用して、前記第２の搬送波信号を生成させる
請求項９に記載の非一時的コンピュータ可読媒体。
【請求項１４】
前記第２の搬送波信号を変調するための前記プログラム命令の実行が、前記ターゲットデバイスに、
前記データを前記第２の搬送波信号上に符号化するために、前記第２の搬送波信号の位相を調整させる
請求項９に記載の非一時的コンピュータ可読媒体。
【請求項１５】
前記第２の搬送波信号を変調するための前記プログラム命令の実行が、前記ターゲットデバイスに、
前記データを前記第２の搬送波信号上に符号化するために、前記第２の搬送波信号の振幅を調整させる
請求項９に記載の非一時的コンピュータ可読媒体。
【請求項１６】
前記第２の搬送波信号を変調するための前記プログラム命令の実行が、前記ターゲットデバイスに、
前記第１の搬送波信号を依然として受信しながら、前記第２の搬送波信号を断続的に終了させる
請求項９に記載の非一時的コンピュータ可読媒体。
【請求項１７】
近距離通信（ＮＦＣ）セッションの間にターゲットデバイスとして動作するように構成されたＮＦＣデバイスであって、
前記ＮＦＣセッションのためのパッシブ通信モードを要求するポーリングコマンドをイニシエータデバイスから受信するための手段と、
前記ＮＦＣセッションの間に前記イニシエータデバイスから第１の搬送波信号を受信するための手段と、前記第１の搬送波信号は、前記ポーリングコマンドが受信された後、変調されていないままであり、
前記第１の搬送波信号が、前記ターゲットデバイスによって受信されており、変調されていないままである間に、前記ターゲットデバイスから前記イニシエータデバイスに第２の搬送波信号を送信するための手段と、
データを前記第２の搬送波信号上に変調するための手段と
を備え、
前記第１の搬送波信号および前記第２の搬送波信号は、組み合わさって、前記変調されたデータを示す複合波形を形成し、ここにおいて、前記複合波形は、前記第１の搬送波信号および前記第２の搬送波信号の重なり合いである、近距離通信（ＮＦＣ）デバイス。
【請求項１８】
前記ターゲットデバイスが、前記第１の搬送波信号を連続して受信し、前記ＮＦＣセッションの間に前記第２の搬送波信号を連続して送信する、請求項１７に記載のＮＦＣデバイス。
【請求項１９】
前記複合波形の振幅が、前記第１の搬送波信号と前記第２の搬送波信号との間の位相関係を示す、請求項１７に記載のＮＦＣデバイス。
【請求項２０】
前記ターゲットデバイスが、前記第１の搬送波信号と前記第２の搬送波信号との間の前記位相関係を調整することによって、前記データを変調するためのものである、請求項１９に記載のＮＦＣデバイス。
【請求項２１】
送信するための前記手段が、
前記受信された第１の搬送波信号からクロック情報を抽出し、
前記抽出されたクロック情報を使用して、前記第２の搬送波信号を生成する
ためのものである、請求項１７に記載のＮＦＣデバイス。
【請求項２２】
変調するための前記手段が、前記データを前記第２の搬送波信号上に符号化するために、前記第２の搬送波信号の位相を調整するためのものである、請求項１７に記載のＮＦＣデバイス。
【請求項２３】
変調するための前記手段が、前記データを前記第２の搬送波信号上に符号化するために、前記第２の搬送波信号の振幅を調整するためのものである、請求項１７に記載のＮＦＣデバイス。
【請求項２４】
変調するための前記手段が、前記第１の搬送波信号を依然として受信しながら、前記第２の搬送波信号を断続的に終了するためのものである、請求項１７に記載のＮＦＣデバイス。
【手続補正２】
【補正対象書類名】明細書
【補正対象項目名】００６３
【補正方法】変更
【補正の内容】
【００６３】
[0071]前述の明細書において、本実施形態は、本発明の特定の例示の実施形態を参照して説明された。しかしながら、添付の特許請求の範囲に記載された本開示のより広い範囲から逸脱することなく、様々な改変および変更がそれに行われ得ることは明らかであろう。それゆえに、明細書および図面は、限定の意味ではなく例示の意味と見なされるべきである。
以下に本願発明の当初の特許請求の範囲に記載された発明を付記する。
［Ｃ１］
近距離通信（ＮＦＣ）セッションの間にターゲットデバイスとしてＮＦＣデバイスを動作させる方法であって、
パッシブ通信モードを要求するポーリングコマンドをイニシエータデバイスから受信することと、
前記ＮＦＣセッションの間に前記イニシエータデバイスから第１の搬送波信号を受信することと、
前記第１の搬送波信号が受信されている間に、前記ターゲットデバイスから第２の搬送波信号を送信することと、
データを前記第２の搬送波信号上に変調することと
を備える方法。
［Ｃ２］
前記ターゲットデバイスが前記ポーリングコマンドを受信した後、前記第１の搬送波信号が変調されていないままである、Ｃ１に記載の方法。
［Ｃ３］
前記ターゲットデバイスが、前記第１の搬送波信号を連続して受信し、前記ＮＦＣセッションの間に前記第２の搬送波信号を連続して送信する、Ｃ１に記載の方法。
［Ｃ４］
前記変調されたデータを示す複合波形を形成するために、前記第１の搬送波信号と前記第２の搬送波信号とが重なり合う、Ｃ１に記載の方法。
［Ｃ５］
前記複合波形の振幅が、前記第１の搬送波信号と前記第２の搬送波信号との間の位相関係を示す、Ｃ４に記載の方法。
［Ｃ６］
前記ターゲットデバイスが、前記第１の搬送波信号と前記第２の搬送波信号との間の前記位相関係を調整することによって、前記データを変調するためのものである、Ｃ５に記載の方法。
［Ｃ７］
前記送信することが、
前記受信された第１の搬送波信号からクロック情報を抽出することと、
前記抽出されたクロック情報を使用して、前記第２の搬送波信号を生成することと
を備える、Ｃ１に記載の方法。
［Ｃ８］
前記変調することが、
前記データを前記第２の搬送波信号上に符号化するために、前記第２の搬送波信号の位相を調整すること
を備える、Ｃ１に記載の方法。
［Ｃ９］
前記変調することが、
前記データを前記第２の搬送波信号上に符号化するために、前記第２の搬送波信号の振幅を調整すること
を備える、Ｃ１に記載の方法。
［Ｃ１０］
前記変調することが、
前記第１の搬送波信号を依然として受信しながら、前記第２の搬送波信号を断続的に終了すること
を備える、Ｃ１に記載の方法。
［Ｃ１１］
近距離通信（ＮＦＣ）セッションの間にターゲットデバイスのプロセッサによって実行されると、前記ターゲットデバイスに、
パッシブ通信モードを要求するポーリングコマンドをイニシエータデバイスから受信させ、
前記ＮＦＣセッションの間に前記イニシエータデバイスから第１の搬送波信号を受信させ、
前記第１の搬送波信号が受信されている間に、前記ターゲットデバイスから第２の搬送波信号を送信させ、
データを前記第２の搬送波信号上に変調させる
プログラム命令を含むコンピュータ可読媒体。
［Ｃ１２］
前記ターゲットデバイスが前記ポーリングコマンドを受信した後、前記第１の搬送波信号が変調されていないままである、Ｃ１１に記載のコンピュータ可読媒体。
［Ｃ１３］
前記プログラム命令の実行がさらに、前記ターゲットデバイスに、
前記ＮＦＣセッションの間に前記第１の搬送波信号を連続して受信させ、
前記ＮＦＣセッションの間に前記第２の搬送波信号を連続して送信させる
Ｃ１１に記載のコンピュータ可読媒体。
［Ｃ１４］
前記変調されたデータを示す複合波形を形成するために、前記第１の搬送波信号と前記第２の搬送波信号とが重なり合う、Ｃ１１に記載のコンピュータ可読媒体。
［Ｃ１５］
前記複合波形の振幅が、前記第１の搬送波信号と前記第２の搬送波信号との間の位相関係を示す、Ｃ１４に記載のコンピュータ可読媒体。
［Ｃ１６］
前記ターゲットデバイスが、前記第１の搬送波信号と前記第２の搬送波信号との間の前記位相関係を調整することによって、前記データを変調するためのものである、Ｃ１５に記載のコンピュータ可読媒体。
［Ｃ１７］
前記第２の搬送波信号を送信するための前記プログラム命令の実行が、前記ターゲットデバイスに、
前記受信された第１の搬送波信号からクロック情報を抽出させ、
前記抽出されたクロック情報を使用して、前記第２の搬送波信号を生成させる
Ｃ１１に記載のコンピュータ可読媒体。
［Ｃ１８］
前記第２の搬送波信号を変調するための前記プログラム命令の実行が、前記ターゲットデバイスに、
前記データを前記第２の搬送波信号上に符号化するために、前記第２の搬送波信号の位相を調整させる
Ｃ１１に記載のコンピュータ可読媒体。
［Ｃ１９］
前記第２の搬送波信号を変調するための前記プログラム命令の実行が、前記ターゲットデバイスに、
前記データを前記第２の搬送波信号上に符号化するために、前記第２の搬送波信号の振幅を調整させる
Ｃ１１に記載のコンピュータ可読媒体。
［Ｃ２０］
前記第２の搬送波信号を変調するための前記プログラム命令の実行が、前記ターゲットデバイスに、
前記第１の搬送波信号を依然として受信しながら、前記第２の搬送波信号を断続的に終了させる
Ｃ１１に記載のコンピュータ可読媒体。
［Ｃ２１］
パッシブ通信モードの間にターゲットデバイスとして動作するように構成された近距離通信（ＮＦＣ）デバイスであって、
イニシエータデバイスから第１の搬送波信号を受信するためのアンテナと、ここにおいて、前記第１の搬送波信号が、前記パッシブ通信モードの要求を含む、
前記パッシブ通信モードの前記要求に応答して、前記イニシエータデバイスにデータを含む第２の搬送波信号を送信するために、アンテナに結合された送信機と
を備える近距離通信（ＮＦＣ）デバイス。
［Ｃ２２］
前記受信された第１の搬送波信号からクロック情報を抽出するために、前記アンテナおよび前記送信機に結合された位相ロックループ（ＰＬＬ）回路
をさらに備えるＣ２１に記載のＮＦＣデバイス。
［Ｃ２３］
前記送信機が、前記抽出されたクロック情報を使用して前記第２の搬送波信号を生成するためのものである、Ｃ２２に記載のＮＦＣデバイス。
［Ｃ２４］
前記第１の搬送波信号が前記アンテナによって連続して受信される間に、前記送信機が、前記第２の搬送波信号を連続して送信するためのものである、Ｃ２１に記載のＮＦＣデバイス。
［Ｃ２５］
前記データを示す複合波形を形成するために、前記第１の搬送波信号と前記第２の搬送波信号とが重なり合う、Ｃ２１に記載のＮＦＣデバイス。
［Ｃ２６］
前記複合波形の振幅が、前記第１の搬送波信号と前記第２の搬送波信号との間の位相関係を示す、Ｃ２５に記載のＮＦＣデバイス。
［Ｃ２７］
前記ターゲットデバイスが、前記第１の搬送波信号と前記第２の搬送波信号との間の前記位相関係を調整することによって、前記データを変調するためのものである、Ｃ２６に記載のＮＦＣデバイス。
［Ｃ２８］
前記送信機が、パルス幅変調（ＰＷＭ）信号の遅延値を調整することによって、前記データを前記第２の搬送波信号上に変調するためのものである、Ｃ２１に記載のＮＦＣデバイス。
［Ｃ２９］
前記送信機が、
前記ＰＷＭ信号の前記遅延値を調整するときに使用される複数の位相値を記憶するためのルックアップテーブルを含むキャリア位相制御回路
を備える、Ｃ２８に記載のＮＦＣデバイス。
［Ｃ３０］
前記受信された第１の搬送波信号からクロック情報を抽出するために、前記アンテナおよび前記送信機に結合された位相ロックループ（ＰＬＬ）回路をさらに備え、前記ＰＬＬ回路が、前記抽出されたクロック情報に応答して出力クロック信号を生成するためのものであり、前記ルックアップテーブルが、前記出力クロック信号に応答して前記複数の位相値のうちの１つを選択するためのものである
Ｃ２９に記載のＮＦＣデバイス。
［Ｃ３１］
近距離通信（ＮＦＣ）セッションの間にターゲットデバイスとして動作するように構成されたＮＦＣデバイスであって、
パッシブ通信モードを要求するポーリングコマンドをイニシエータデバイスから受信するための手段と、
前記ＮＦＣセッションの間に前記イニシエータデバイスから第１の搬送波信号を受信するための手段と、
前記第１の搬送波信号が受信されている間に、前記ターゲットデバイスから第２の搬送波信号を送信するための手段と、
データを前記第２の搬送波信号上に変調するための手段と
を備える近距離通信（ＮＦＣ）デバイス。
［Ｃ３２］
前記ターゲットデバイスが、前記第１の搬送波信号を連続して受信し、前記ＮＦＣセッションの間に前記第２の搬送波信号を連続して送信する、Ｃ３１に記載のＮＦＣデバイス。
［Ｃ３３］
前記変調されたデータを示す複合波形を形成するために、前記第１の搬送波信号と前記第２の搬送波信号とが重なり合う、Ｃ３１に記載のＮＦＣデバイス。
［Ｃ３４］
前記複合波形の振幅が、前記第１の搬送波信号と前記第２の搬送波信号との間の位相関係を示す、Ｃ３３に記載のＮＦＣデバイス。
［Ｃ３５］
前記ターゲットデバイスが、前記第１の搬送波信号と前記第２の搬送波信号との間の前記位相関係を調整することによって、前記データを変調するためのものである、Ｃ３４に記載のＮＦＣデバイス。
［Ｃ３６］
送信するための前記手段が、
前記受信された第１の搬送波信号からクロック情報を抽出し、
前記抽出されたクロック情報を使用して、前記第２の搬送波信号を生成する
ためのものである、Ｃ３１に記載のＮＦＣデバイス。
［Ｃ３７］
変調するための前記手段が、前記データを前記第２の搬送波信号上に符号化するために、前記第２の搬送波信号の位相を調整するためのものである、Ｃ３１に記載のＮＦＣデバイス。
［Ｃ３８］
変調するための前記手段が、前記データを前記第２の搬送波信号上に符号化するために、前記第２の搬送波信号の振幅を調整するためのものである、Ｃ３１に記載のＮＦＣデバイス。
［Ｃ３９］
変調するための前記手段が、前記第１の搬送波信号を依然として受信しながら、前記第２の搬送波信号を断続的に終了するためのものである、Ｃ３１に記載のＮＦＣデバイス。